(57)【要約】【課題】  ＯＡ機器にコピー処理を実行させるための処理の要求先を一元化すること。【解決手段】  コピー機能に係る処理を実行する旨の要求に応じて、コピー機能に係る処理を実行するコピーサービス手段を備えるコピーサービス装置であって、前記コピーサービス手段は、文書データを読み取り前記文書データを印刷する旨のコピー要求に応じて、文書データを読み取る旨のスキャン要求を、スキャン機能に係る処理を実行する旨の要求に応じてスキャン機能に係る処理を実行するスキャンサービス手段に対して発行するスキャン要求発行処理と、前記文書データを印刷する旨のプリント要求を、プリント機能に係る処理を実行する旨の要求に応じてプリント機能に係る処理を実行するプリントサービス手段に対して発行するプリント要求発行処理とを実行することを特徴とするコピーサービス装置。【選択図】  図６
2005128761.tif 000002
【特許請求の範囲】
【請求項１】
コピー機能に係る処理を実行する旨の要求に応じて、コピー機能に係る処理を実行するコピーサービス手段を備えるコピーサービス装置であって、
前記コピーサービス手段は、文書データを読み取り前記文書データを印刷する旨のコピー要求に応じて、文書データを読み取る旨のスキャン要求を、スキャン機能に係る処理を実行する旨の要求に応じてスキャン機能に係る処理を実行するスキャンサービス手段に対して発行するスキャン要求発行処理と、前記文書データを印刷する旨のプリント要求を、プリント機能に係る処理を実行する旨の要求に応じてプリント機能に係る処理を実行するプリントサービス手段に対して発行するプリント要求発行処理とを実行することを特徴とするコピーサービス装置。
【請求項２】
コピー機能に係る処理を実行する旨の要求に応じて、コピー機能に係る処理を実行するコピーサービス手段を備えるコピーサービス装置であって、
前記コピーサービス手段は、コピーを検索する旨のコピー検索要求に応じて、スキャナの検索結果とプリンタの検索結果の組合せをコピーの検索結果として発行するコピー検索応答発行処理を実行し、
前記コピーサービス手段は、スキャナとプリンタの組合せの前記コピーで文書データを読み取り前記文書データを印刷する旨のコピー要求に応じて、前記スキャナで文書データを読み取る旨のスキャン要求を、スキャン機能に係る処理を実行する旨の要求に応じてスキャン機能に係る処理を実行するスキャンサービス手段に対して発行するスキャン要求発行処理と、前記プリンタで前記文書データを印刷する旨のプリント要求を、プリント機能に係る処理を実行する旨の要求に応じてプリント機能に係る処理を実行するプリントサービス手段に対して発行するプリント要求発行処理とを実行することを特徴とするコピーサービス装置。
【請求項３】
前記コピーサービス手段は、コピーを検索する旨の前記コピー検索要求に応じて、スキャナを検索する旨のスキャナ検索要求を発行するスキャナ検索要求発行処理と、プリンタを検索する旨のプリンタ検索要求を発行するプリンタ検索要求発行処理と、スキャナの検索結果とプリンタの検索結果の組合せをコピーの検索結果として発行する前記コピー検索応答発行処理とを実行することを特徴とする請求項２に記載のコピーサービス装置。
【請求項４】
前記コピーサービス手段は、仮想的に定義された仮想コピーの定義に合致するコピーを検索する旨の前記コピー検索要求に応じて、スキャナの検索結果とプリンタの検索結果の前記仮想コピーの定義に合致する組合せをコピーの検索結果として発行する前記コピー検索応答発行処理を実行することを特徴とする請求項２に記載のコピーサービス装置。
【請求項５】
前記コピーサービス手段は、仮想的に定義された仮想コピーの定義に合致するコピーを検索する旨の前記コピー検索要求に応じて、スキャナを検索する旨のスキャナ検索要求を発行するスキャナ検索要求発行処理と、プリンタを検索する旨のプリンタ検索要求を発行するプリンタ検索要求発行処理と、スキャナの検索結果とプリンタの検索結果の前記仮想コピーの定義に合致する組合せをコピーの検索結果として発行する前記コピー検索応答発行処理とを実行することを特徴とする請求項４に記載のコピーサービス装置。
【請求項６】
前記コピーサービス手段は、スキャナを検索する旨のスキャナ検索要求を発行するスキャナ検索要求発行処理と、プリンタを検索する旨のプリンタ検索要求を発行するプリンタ検索要求発処理と、スキャナの検索結果とプリンタの検索結果の組合せの一覧を作成する一覧作成処理とを実行する一覧作成手段を備え、
前記コピーサービス手段は、仮想的に定義された仮想コピーの定義に合致するコピーを検索する旨の前記コピー検索要求に応じて、前記一覧作成手段により予め作成されている前記一覧の前記組合せの内、前記仮想コピーの定義に合致する組合せをコピーの検索結果として発行する前記コピー検索応答発行処理を実行することを特徴とする請求項４に記載のコピーサービス装置。
【請求項７】
当該コピーサービス装置は、前記コピーサービス手段を備える画像形成装置であることを特徴とする請求項１乃至６のいずれか１項に記載のコピーサービス装置。
【請求項８】
当該コピーサービス装置は、前記コピーサービス手段を備える情報処理装置であることを特徴とする請求項１乃至６のいずれか１項に記載のコピーサービス装置。
【請求項９】
コピー機能に係る処理を実行する旨の要求に応じて、コピー機能に係る処理を実行するコピーサービス手段を備えるコピーサービス装置により実行される情報処理方法であって、
前記コピーサービス手段が、文書データを読み取り前記文書データを印刷する旨のコピー要求に応じて、文書データを読み取る旨のスキャン要求を、スキャン機能に係る処理を実行する旨の要求に応じてスキャン機能に係る処理を実行するスキャンサービス手段に対して発行するスキャン要求発行処理と、前記文書データを印刷する旨のプリント要求を、プリント機能に係る処理を実行する旨の要求に応じてプリント機能に係る処理を実行するプリントサービス手段に対して発行するプリント要求発行処理とを実行することを特徴とする情報処理方法。
【請求項１０】
コピー機能に係る処理を実行する旨の要求に応じて、コピー機能に係る処理を実行するコピーサービス手段を備えるコピーサービス装置により実行される情報処理方法であって、
前記コピーサービス手段が、コピーを検索する旨のコピー検索要求に応じて、スキャナの検索結果とプリンタの検索結果の組合せをコピーの検索結果として発行するコピー検索応答発行処理を実行し、
前記コピーサービス手段が、スキャナとプリンタの組合せの前記コピーで文書データを読み取り前記文書データを印刷する旨のコピー要求に応じて、前記スキャナで文書データを読み取る旨のスキャン要求を、スキャン機能に係る処理を実行する旨の要求に応じてスキャン機能に係る処理を実行するスキャンサービス手段に対して発行するスキャン要求発行処理と、前記プリンタで前記文書データを印刷する旨のプリント要求を、プリント機能に係る処理を実行する旨の要求に応じてプリント機能に係る処理を実行するプリントサービス手段に対して発行するプリント要求発行処理とを実行することを特徴とする情報処理方法。
【請求項１１】
前記コピーサービス手段が、コピーを検索する旨の前記コピー検索要求に応じて、スキャナを検索する旨のスキャナ検索要求を発行するスキャナ検索要求発行処理と、プリンタを検索する旨のプリンタ検索要求を発行するプリンタ検索要求発行処理と、スキャナの検索結果とプリンタの検索結果の組合せをコピーの検索結果として発行する前記コピー検索応答発行処理とを実行することを特徴とする請求項１０に記載の情報処理方法。
【請求項１２】
前記コピーサービス手段が、仮想的に定義された仮想コピーの定義に合致するコピーを検索する旨の前記コピー検索要求に応じて、スキャナの検索結果とプリンタの検索結果の前記仮想コピーの定義に合致する組合せをコピーの検索結果として発行する前記コピー検索応答発行処理を実行することを特徴とする請求項１０に記載の情報処理方法。
【請求項１３】
前記コピーサービス手段が、仮想的に定義された仮想コピーの定義に合致するコピーを検索する旨の前記コピー検索要求に応じて、スキャナを検索する旨のスキャナ検索要求を発行するスキャナ検索要求発行処理と、プリンタを検索する旨のプリンタ検索要求を発行するプリンタ検索要求発行処理と、スキャナの検索結果とプリンタの検索結果の前記仮想コピーの定義に合致する組合せをコピーの検索結果として発行する前記コピー検索応答発行処理とを実行することを特徴とする請求項１２に記載の情報処理方法。
【請求項１４】
前記コピーサービス手段が、スキャナを検索する旨のスキャナ検索要求を発行するスキャナ検索要求発行処理と、プリンタを検索する旨のプリンタ検索要求を発行するプリンタ検索要求発処理と、スキャナの検索結果とプリンタの検索結果の組合せの一覧を作成する一覧作成処理とを実行する一覧作成段階を備え、
前記コピーサービス手段が、仮想的に定義された仮想コピーの定義に合致するコピーを検索する旨の前記コピー検索要求に応じて、前記一覧作成段階にて予め作成されている前記一覧の前記組合せの内、前記仮想コピーの定義に合致する組合せをコピーの検索結果として発行する前記コピー検索応答発行処理を実行することを特徴とする請求項１２に記載の情報処理方法。
【請求項１５】
前記コピーサービス装置は、前記コピーサービス手段を備える画像形成装置であることを特徴とする請求項９乃至１４のいずれか１項に記載の情報処理方法。
【請求項１６】
前記コピーサービス装置は、前記コピーサービス手段を備える情報処理装置であることを特徴とする請求項９乃至１４のいずれか１項に記載の情報処理方法。
【請求項１７】
請求項１乃至６のいずれか１項に記載のコピーサービス装置のクライアント端末として機能する情報処理装置であって、
コピーを開始する旨の操作に応じて、文書データを読み取り前記文書データを印刷する旨の前記コピー要求を前記コピーサービス手段に対して発行するコピー要求手段を備えることを特徴とする情報処理装置。
【請求項１８】
請求項２乃至６のいずれか１項に記載のコピーサービス装置のクライアント端末として機能する情報処理装置であって、
コピーの検索を開始する旨の操作に応じて、コピーを検索する旨の前記コピー検索要求を前記コピーサービス手段に対して発行するコピー検索要求手段と、検索されたコピーでコピーを開始する旨の操作に応じて、検索されたコピーで文書データを読み取り前記文書データを印刷する旨の前記コピー要求を前記コピーサービス手段に対して発行するコピー要求手段を備えることを特徴とする情報処理装置。
【請求項１９】
請求項２乃至６のいずれか１項に記載のコピーサービス装置のクライアント端末として機能する情報処理装置であって、
コピーの検索を開始する旨の操作に応じて、コピーを検索する旨の前記コピー検索要求を前記コピーサービス手段に対して発行するコピー検索要求手段と、検索されたコピーを表示する表示手段と、表示されたコピーを登録する旨の操作に応じて、表示されたコピーを登録する登録手段と、登録されたコピーでコピーを開始する旨の操作に応じて、登録されたコピーで文書データを読み取り前記文書データを印刷する旨の前記コピー要求を前記コピーサービス手段に対して発行するコピー要求手段を備えることを特徴とする情報処理装置。
【請求項２０】
請求項１乃至６のいずれか１項に記載のコピーサービス装置のクライアント端末として機能する情報処理装置により実行される情報処理方法であって、
コピーを開始する旨の操作に応じて、文書データを読み取り前記文書データを印刷する旨の前記コピー要求を前記コピーサービス手段に対して発行するコピー要求段階を備えることを特徴とする情報処理方法。
【請求項２１】
請求項２乃至６のいずれか１項に記載のコピーサービス装置のクライアント端末として機能する情報処理装置により実行される情報処理方法であって、
コピーの検索を開始する旨の操作に応じて、コピーを検索する旨の前記コピー検索要求を前記コピーサービス手段に対して発行するコピー検索要求段階と、検索されたコピーでコピーを開始する旨の操作に応じて、検索されたコピーで文書データを読み取り前記文書データを印刷する旨の前記コピー要求を前記コピーサービス手段に対して発行するコピー要求段階を備えることを特徴とする情報処理方法。
【請求項２２】
請求項２乃至６のいずれか１項に記載のコピーサービス装置のクライアント端末として機能する情報処理装置により実行される情報処理方法であって、
コピーの検索を開始する旨の操作に応じて、コピーを検索する旨の前記コピー検索要求を前記コピーサービス手段に対して発行するコピー検索要求段階と、検索されたコピーを表示する表示段階と、表示されたコピーを登録する旨の操作に応じて、表示されたコピーを登録する登録段階と、登録されたコピーでコピーを開始する旨の操作に応じて、登録されたコピーで文書データを読み取り前記文書データを印刷する旨の前記コピー要求を前記コピーサービス手段に対して発行するコピー要求段階を備えることを特徴とする情報処理方法。
【請求項２３】
請求項２０乃至２２のいずれか１項に記載の情報処理方法をコンピュータに実行させる情報処理プログラム。
【請求項２４】
請求項２０乃至２２のいずれか１項に記載の情報処理方法をコンピュータに実行させる情報処理プログラムが記録されたコンピュータ読取可能な記録媒体。
【請求項２５】
コピー機能に係る処理を実行する旨の要求に応じて、コピー機能に係る処理を実行するコピーサービス手段を備えるコピーサービス装置と、前記コピーサービス装置のクライアント端末として機能する情報処理装置により実行される情報処理方法であって、
前記情報処理装置が、コピーを開始する旨の操作に応じて、文書データを読み取り前記文書データを印刷する旨のコピー要求を前記コピーサービス手段に対して発行し、
前記コピーサービス手段が、文書データを読み取り前記文書データを印刷する旨の前記コピー要求に応じて、文書データを読み取る旨のスキャン要求を、スキャン機能に係る処理を実行する旨の要求に応じてスキャン機能に係る処理を実行するスキャンサービス手段に対して発行するスキャン要求発行処理と、前記文書データを印刷する旨のプリント要求を、プリント機能に係る処理を実行する旨の要求に応じてプリント機能に係る処理を実行するプリントサービス手段に対して発行するプリント要求発行処理とを実行することを特徴とする情報処理方法。
【請求項２６】
コピー機能に係る処理を実行する旨の要求に応じて、コピー機能に係る処理を実行するコピーサービス手段を備えるコピーサービス装置と、前記コピーサービス装置のクライアント端末として機能する情報処理装置により実行される情報処理方法であって、
前記情報処理装置が、コピーの検索を開始する旨の操作に応じて、コピーを検索する旨のコピー検索要求を前記コピーサービス手段に対して発行し、
前記コピーサービス手段が、コピーを検索する旨の前記コピー検索要求に応じて、スキャナの検索結果とプリンタの検索結果の組合せをコピーの検索結果として発行するコピー検索応答発行処理を実行し、
前記情報処理装置が、検索されたコピーでコピーを開始する旨の操作に応じて、検索されたコピーで文書データを読み取り前記文書データを印刷する旨のコピー要求を前記コピーサービス手段に対して発行し、
前記コピーサービス手段が、スキャナとプリンタの組合せの前記コピーで文書データを読み取り前記文書データを印刷する旨の前記コピー要求に応じて、前記スキャナで文書データを読み取る旨のスキャン要求を、スキャン機能に係る処理を実行する旨の要求に応じてスキャン機能に係る処理を実行するスキャンサービス手段に対して発行するスキャン要求発行処理と、前記プリンタで前記文書データを印刷する旨のプリント要求を、プリント機能に係る処理を実行する旨の要求に応じてプリント機能に係る処理を実行するプリントサービス手段に対して発行するプリント要求発行処理とを実行することを特徴とする情報処理方法。
【請求項２７】
コピー機能に係る処理を実行する旨の要求に応じて、コピー機能に係る処理を実行するコピーサービス手段を備えるコピーサービス装置と、前記コピーサービス装置のクライアント端末として機能する情報処理装置により実行される情報処理方法であって、
前記情報処理装置が、コピーの検索を開始する旨の操作に応じて、コピーを検索する旨のコピー検索要求を前記コピーサービス手段に対して発行し、
前記コピーサービス手段が、コピーを検索する旨の前記コピー検索要求に応じて、スキャナの検索結果とプリンタの検索結果の組合せをコピーの検索結果として発行するコピー検索応答発行処理を実行し、
前記情報処理装置が、検索されたコピーを表示し、表示されたコピーを登録する旨の操作に応じて、表示されたコピーを登録し、登録されたコピーでコピーを開始する旨の操作に応じて、登録されたコピーで文書データを読み取り前記文書データを印刷する旨のコピー要求を前記コピーサービス手段に対して発行し、
前記コピーサービス手段が、スキャナとプリンタの組合せの前記コピーで文書データを読み取り前記文書データを印刷する旨の前記コピー要求に応じて、前記スキャナで文書データを読み取る旨のスキャン要求を、スキャン機能に係る処理を実行する旨の要求に応じてスキャン機能に係る処理を実行するスキャンサービス手段に対して発行するスキャン要求発行処理と、前記プリンタで前記文書データを印刷する旨のプリント要求を、プリント機能に係る処理を実行する旨の要求に応じてプリント機能に係る処理を実行するプリントサービス手段に対して発行するプリント要求発行処理とを実行することを特徴とする情報処理方法。
【発明の詳細な説明】
【技術分野】
【０００１】
本発明は、コピーサービス装置、パーソナルコンピュータ等の情報処理装置、情報処理方法、情報処理プログラム、ＣＤ−ＲＯＭ等の記録媒体に関する。
【背景技術】
【０００２】
ＯＡ機器では、様々な形で文書処理（文書データ処理）が実行される。例えば、スキャナでは文書データが読取原稿から読み取られ、プリンタでは文書データが印刷用紙に印刷され、コピーでは文書データが読取原稿から読み取られて印刷用紙に印刷され、ファクシミリでは文書データが電話回線を介して授受される。プリンタにて印刷用紙に印刷される文書データは例えば、ワードプロセッサソフトや表計算ソフト等の文書アプリケーションソフトにより作成される。
【発明の開示】
【発明が解決しようとする課題】
【０００３】
近年、ＯＡ機器のネットワーク化が急速に進展している。このような事態に適切に対処するため、ＯＡ機器の統合インタフェースに関する標準仕様として「ＢＭＬｉｎｋＳ」が提唱されている。ＢＭＬｉｎｋＳでは、ＯＡ機器の検索方法（Ｄｉｓｃｏｖｅｒｙ）や、ＯＡ機器間で授受されるデータフォーマット（Ｄａｔａ  Ｆｏｒｍａｔ）や、ＯＡ機器の制御方法（Ｊｏｂ／Ｄｅｖｉｃｅ  Ｃｏｎｔｒｏｌ）等が標準化される。
【０００４】
ＢＭＬｉｎｋＳでは、ＯＡ機器の機能がオフィスサービスとしてモデル化される。ＯＡ機器のスキャン機能はスキャンサービス、ＯＡ機器のプリント機能はプリントサービス、ＯＡ機器のファックス入力機能はファックスインサービス、ＯＡ機器のファックス出力機能はファックスアウトサービス、ＯＡ機器のストレージ機能はストレージサービスとしてモデル化される。これにより通常、スキャナにはスキャンサービス、プリンタにはプリントサービス、コピーにはスキャンサービスとプリントサービス、ファクシミリにはファックスインサービスとファックスアウトサービス、ストレージ装置にはストレージサービスが存在することになる。スキャンサービスやプリントサービスに関しては、ｃｒｅａｔｅ＿ｊｏｂ（ジョブ生成要求）やｌｉｓｔ＿ｊｏｂｓ（ジョブ一覧要求）等のコマンドが規定されており、ストレージサービスに関しては、ｃｒｅａｔｅ＿ｆｉｌｅ（ファイル生成要求／データ保存要求）やｌｉｓｔ＿ｆｉｌｅｓ（ファイル一覧要求／データ一覧要求）やｒｅａｄ＿ｄａｔａ（データ読出要求）やｗｒｉｔｅ＿ｄａｔａ（データ書込要求）等のコマンドが規定されている。ＢＭＬｉｎｋＳでは、ネットワークプロトコルとしてＨＴＴＰ−ＳＯＡＰが使用される。
【０００５】
ＢＭＬｉｎｋＳでは、ＯＡ機器にコピー処理を実行させる場合には、スキャンサービスとプリントサービスにそれぞれスキャン処理とプリント処理を要求することになる。そのため、ＯＡ機器にコピー処理を実行させようとするクライアントは、スキャンサービスとプリントサービスの両方に処理を要求するという煩雑な処理負担を課される。このような処理負担を軽減するために、ＯＡ機器にコピー処理を実行させるための処理の要求先が一元化されていれば便利である。
【０００６】
したがって、本発明は、ＯＡ機器にコピー処理を実行させるための処理の要求先を一元化することを課題とする。
【課題を解決するための手段】
【０００７】
請求項１に記載の発明（コピーサービス装置）は、コピー機能に係る処理を実行する旨の要求に応じて、コピー機能に係る処理を実行するコピーサービス手段を備えるコピーサービス装置であって、前記コピーサービス手段は、文書データを読み取り前記文書データを印刷する旨のコピー要求に応じて、文書データを読み取る旨のスキャン要求を、スキャン機能に係る処理を実行する旨の要求に応じてスキャン機能に係る処理を実行するスキャンサービス手段に対して発行するスキャン要求発行処理と、前記文書データを印刷する旨のプリント要求を、プリント機能に係る処理を実行する旨の要求に応じてプリント機能に係る処理を実行するプリントサービス手段に対して発行するプリント要求発行処理とを実行する。
【０００８】
請求項２に記載の発明（コピーサービス装置）は、コピー機能に係る処理を実行する旨の要求に応じて、コピー機能に係る処理を実行するコピーサービス手段を備えるコピーサービス装置であって、前記コピーサービス手段は、コピーを検索する旨のコピー検索要求に応じて、スキャナの検索結果とプリンタの検索結果の組合せをコピーの検索結果として発行するコピー検索応答発行処理を実行し、前記コピーサービス手段は、スキャナとプリンタの組合せの前記コピーで文書データを読み取り前記文書データを印刷する旨のコピー要求に応じて、前記スキャナで文書データを読み取る旨のスキャン要求を、スキャン機能に係る処理を実行する旨の要求に応じてスキャン機能に係る処理を実行するスキャンサービス手段に対して発行するスキャン要求発行処理と、前記プリンタで前記文書データを印刷する旨のプリント要求を、プリント機能に係る処理を実行する旨の要求に応じてプリント機能に係る処理を実行するプリントサービス手段に対して発行するプリント要求発行処理とを実行する。
【０００９】
請求項３に記載の発明（コピーサービス装置）は、請求項２に記載の発明（コピーサービス装置）に関して、前記コピーサービス手段は、コピーを検索する旨の前記コピー検索要求に応じて、スキャナを検索する旨のスキャナ検索要求を発行するスキャナ検索要求発行処理と、プリンタを検索する旨のプリンタ検索要求を発行するプリンタ検索要求発行処理と、スキャナの検索結果とプリンタの検索結果の組合せをコピーの検索結果として発行する前記コピー検索応答発行処理とを実行する。
【００１０】
請求項４に記載の発明（コピーサービス装置）は、請求項２に記載の発明（コピーサービス装置）に関して、前記コピーサービス手段は、仮想的に定義された仮想コピーの定義に合致するコピーを検索する旨の前記コピー検索要求に応じて、スキャナの検索結果とプリンタの検索結果の前記仮想コピーの定義に合致する組合せをコピーの検索結果として発行する前記コピー検索応答発行処理を実行する。
【００１１】
請求項５に記載の発明（コピーサービス装置）は、請求項４に記載の発明（コピーサービス装置）に関して、前記コピーサービス手段は、仮想的に定義された仮想コピーの定義に合致するコピーを検索する旨の前記コピー検索要求に応じて、スキャナを検索する旨のスキャナ検索要求を発行するスキャナ検索要求発行処理と、プリンタを検索する旨のプリンタ検索要求を発行するプリンタ検索要求発行処理と、スキャナの検索結果とプリンタの検索結果の前記仮想コピーの定義に合致する組合せをコピーの検索結果として発行する前記コピー検索応答発行処理とを実行する。
【００１２】
請求項６に記載の発明（コピーサービス装置）は、請求項４に記載の発明（コピーサービス装置）に関して、前記コピーサービス手段は、スキャナを検索する旨のスキャナ検索要求を発行するスキャナ検索要求発行処理と、プリンタを検索する旨のプリンタ検索要求を発行するプリンタ検索要求発処理と、スキャナの検索結果とプリンタの検索結果の組合せの一覧を作成する一覧作成処理とを実行する一覧作成手段を備え、前記コピーサービス手段は、仮想的に定義された仮想コピーの定義に合致するコピーを検索する旨の前記コピー検索要求に応じて、前記一覧作成手段により予め作成されている前記一覧の前記組合せの内、前記仮想コピーの定義に合致する組合せをコピーの検索結果として発行する前記コピー検索応答発行処理を実行する。
【００１３】
請求項７に記載の発明（コピーサービス装置）は、請求項１乃至６のいずれか１項に記載の発明（コピーサービス装置）に関して、当該コピーサービス装置は、前記コピーサービス手段を備える画像形成装置である。
【００１４】
請求項８に記載の発明（コピーサービス装置）は、請求項１乃至６のいずれか１項に記載の発明（コピーサービス装置）に関して、当該コピーサービス装置は、前記コピーサービス手段を備える情報処理装置である。
【００１５】
請求項９に記載の発明（情報処理方法）は、コピー機能に係る処理を実行する旨の要求に応じて、コピー機能に係る処理を実行するコピーサービス手段を備えるコピーサービス装置により実行される情報処理方法であって、前記コピーサービス手段が、文書データを読み取り前記文書データを印刷する旨のコピー要求に応じて、文書データを読み取る旨のスキャン要求を、スキャン機能に係る処理を実行する旨の要求に応じてスキャン機能に係る処理を実行するスキャンサービス手段に対して発行するスキャン要求発行処理と、前記文書データを印刷する旨のプリント要求を、プリント機能に係る処理を実行する旨の要求に応じてプリント機能に係る処理を実行するプリントサービス手段に対して発行するプリント要求発行処理とを実行する。
【００１６】
請求項１０に記載の発明（情報処理方法）は、コピー機能に係る処理を実行する旨の要求に応じて、コピー機能に係る処理を実行するコピーサービス手段を備えるコピーサービス装置により実行される情報処理方法であって、前記コピーサービス手段が、コピーを検索する旨のコピー検索要求に応じて、スキャナの検索結果とプリンタの検索結果の組合せをコピーの検索結果として発行するコピー検索応答発行処理を実行し、前記コピーサービス手段が、スキャナとプリンタの組合せの前記コピーで文書データを読み取り前記文書データを印刷する旨のコピー要求に応じて、前記スキャナで文書データを読み取る旨のスキャン要求を、スキャン機能に係る処理を実行する旨の要求に応じてスキャン機能に係る処理を実行するスキャンサービス手段に対して発行するスキャン要求発行処理と、前記プリンタで前記文書データを印刷する旨のプリント要求を、プリント機能に係る処理を実行する旨の要求に応じてプリント機能に係る処理を実行するプリントサービス手段に対して発行するプリント要求発行処理とを実行する。
【００１７】
請求項１１に記載の発明（情報処理方法）は、請求項１０に記載の発明（情報処理方法）に関して、前記コピーサービス手段が、コピーを検索する旨の前記コピー検索要求に応じて、スキャナを検索する旨のスキャナ検索要求を発行するスキャナ検索要求発行処理と、プリンタを検索する旨のプリンタ検索要求を発行するプリンタ検索要求発行処理と、スキャナの検索結果とプリンタの検索結果の組合せをコピーの検索結果として発行する前記コピー検索応答発行処理とを実行する。
【００１８】
請求項１２に記載の発明（情報処理方法）は、請求項１０に記載の発明（情報処理方法）に関して、前記コピーサービス手段が、仮想的に定義された仮想コピーの定義に合致するコピーを検索する旨の前記コピー検索要求に応じて、スキャナの検索結果とプリンタの検索結果の前記仮想コピーの定義に合致する組合せをコピーの検索結果として発行する前記コピー検索応答発行処理を実行する。
【００１９】
請求項１３に記載の発明（情報処理方法）は、請求項１２に記載の発明（情報処理方法）に関して、前記コピーサービス手段が、仮想的に定義された仮想コピーの定義に合致するコピーを検索する旨の前記コピー検索要求に応じて、スキャナを検索する旨のスキャナ検索要求を発行するスキャナ検索要求発行処理と、プリンタを検索する旨のプリンタ検索要求を発行するプリンタ検索要求発行処理と、スキャナの検索結果とプリンタの検索結果の前記仮想コピーの定義に合致する組合せをコピーの検索結果として発行する前記コピー検索応答発行処理とを実行する。
【００２０】
請求項１４に記載の発明（情報処理方法）は、請求項１２に記載の発明（情報処理方法）に関して、前記コピーサービス手段が、スキャナを検索する旨のスキャナ検索要求を発行するスキャナ検索要求発行処理と、プリンタを検索する旨のプリンタ検索要求を発行するプリンタ検索要求発処理と、スキャナの検索結果とプリンタの検索結果の組合せの一覧を作成する一覧作成処理とを実行する一覧作成段階を備え、前記コピーサービス手段が、仮想的に定義された仮想コピーの定義に合致するコピーを検索する旨の前記コピー検索要求に応じて、前記一覧作成段階にて予め作成されている前記一覧の前記組合せの内、前記仮想コピーの定義に合致する組合せをコピーの検索結果として発行する前記コピー検索応答発行処理を実行する。
【００２１】
請求項１５に記載の発明（情報処理方法）は、請求項９乃至１４のいずれか１項に記載の発明（情報処理方法）に関して、前記コピーサービス装置は、前記コピーサービス手段を備える画像形成装置である。
【００２２】
請求項１６に記載の発明（情報処理方法）は、請求項９乃至１４のいずれか１項に記載の発明（情報処理方法）に関して、前記コピーサービス装置は、前記コピーサービス手段を備える情報処理装置である。
【００２３】
請求項１７に記載の発明（情報処理装置）は、請求項１乃至６のいずれか１項に記載のコピーサービス装置のクライアント端末として機能する情報処理装置であって、コピーを開始する旨の操作に応じて、文書データを読み取り前記文書データを印刷する旨の前記コピー要求を前記コピーサービス手段に対して発行するコピー要求手段を備える。
【００２４】
請求項１８に記載の発明（情報処理装置）は、請求項２乃至６のいずれか１項に記載のコピーサービス装置のクライアント端末として機能する情報処理装置であって、コピーの検索を開始する旨の操作に応じて、コピーを検索する旨の前記コピー検索要求を前記コピーサービス手段に対して発行するコピー検索要求手段と、検索されたコピーでコピーを開始する旨の操作に応じて、検索されたコピーで文書データを読み取り前記文書データを印刷する旨の前記コピー要求を前記コピーサービス手段に対して発行するコピー要求手段を備える。
【００２５】
請求項１９に記載の発明（情報処理装置）は、請求項２乃至６のいずれか１項に記載のコピーサービス装置のクライアント端末として機能する情報処理装置であって、コピーの検索を開始する旨の操作に応じて、コピーを検索する旨の前記コピー検索要求を前記コピーサービス手段に対して発行するコピー検索要求手段と、検索されたコピーを表示する表示手段と、表示されたコピーを登録する旨の操作に応じて、表示されたコピーを登録する登録手段と、登録されたコピーでコピーを開始する旨の操作に応じて、登録されたコピーで文書データを読み取り前記文書データを印刷する旨の前記コピー要求を前記コピーサービス手段に対して発行するコピー要求手段を備える。
【００２６】
請求項２０に記載の発明（情報処理方法）は、請求項１乃至６のいずれか１項に記載のコピーサービス装置のクライアント端末として機能する情報処理装置により実行される情報処理方法であって、コピーを開始する旨の操作に応じて、文書データを読み取り前記文書データを印刷する旨の前記コピー要求を前記コピーサービス手段に対して発行するコピー要求段階を備える。
【００２７】
請求項２１に記載の発明（情報処理方法）は、請求項２乃至６のいずれか１項に記載のコピーサービス装置のクライアント端末として機能する情報処理装置により実行される情報処理方法であって、コピーの検索を開始する旨の操作に応じて、コピーを検索する旨の前記コピー検索要求を前記コピーサービス手段に対して発行するコピー検索要求段階と、検索されたコピーでコピーを開始する旨の操作に応じて、検索されたコピーで文書データを読み取り前記文書データを印刷する旨の前記コピー要求を前記コピーサービス手段に対して発行するコピー要求段階を備える。
【００２８】
請求項２２に記載の発明（情報処理方法）は、請求項２乃至６のいずれか１項に記載のコピーサービス装置のクライアント端末として機能する情報処理装置により実行される情報処理方法であって、コピーの検索を開始する旨の操作に応じて、コピーを検索する旨の前記コピー検索要求を前記コピーサービス手段に対して発行するコピー検索要求段階と、検索されたコピーを表示する表示段階と、表示されたコピーを登録する旨の操作に応じて、表示されたコピーを登録する登録段階と、登録されたコピーでコピーを開始する旨の操作に応じて、登録されたコピーで文書データを読み取り前記文書データを印刷する旨の前記コピー要求を前記コピーサービス手段に対して発行するコピー要求段階を備える。
【００２９】
請求項２３に記載の発明（情報処理プログラム）は、請求項２０乃至２２のいずれか１項に記載の情報処理方法をコンピュータに実行させる情報処理プログラムである。
【００３０】
請求項２４に記載の発明（記録媒体）は、請求項２０乃至２２のいずれか１項に記載の情報処理方法をコンピュータに実行させる情報処理プログラムが記録されたコンピュータ読取可能な記録媒体である。
【００３１】
請求項２５に記載の発明（情報処理方法）は、コピー機能に係る処理を実行する旨の要求に応じて、コピー機能に係る処理を実行するコピーサービス手段を備えるコピーサービス装置と、前記コピーサービス装置のクライアント端末として機能する情報処理装置により実行される情報処理方法であって、前記情報処理装置が、コピーを開始する旨の操作に応じて、文書データを読み取り前記文書データを印刷する旨のコピー要求を前記コピーサービス手段に対して発行し、前記コピーサービス手段が、文書データを読み取り前記文書データを印刷する旨の前記コピー要求に応じて、文書データを読み取る旨のスキャン要求を、スキャン機能に係る処理を実行する旨の要求に応じてスキャン機能に係る処理を実行するスキャンサービス手段に対して発行するスキャン要求発行処理と、前記文書データを印刷する旨のプリント要求を、プリント機能に係る処理を実行する旨の要求に応じてプリント機能に係る処理を実行するプリントサービス手段に対して発行するプリント要求発行処理とを実行する。
【００３２】
請求項２６に記載の発明（情報処理方法）は、コピー機能に係る処理を実行する旨の要求に応じて、コピー機能に係る処理を実行するコピーサービス手段を備えるコピーサービス装置と、前記コピーサービス装置のクライアント端末として機能する情報処理装置により実行される情報処理方法であって、前記情報処理装置が、コピーの検索を開始する旨の操作に応じて、コピーを検索する旨のコピー検索要求を前記コピーサービス手段に対して発行し、前記コピーサービス手段が、コピーを検索する旨の前記コピー検索要求に応じて、スキャナの検索結果とプリンタの検索結果の組合せをコピーの検索結果として発行するコピー検索応答発行処理を実行し、前記情報処理装置が、検索されたコピーでコピーを開始する旨の操作に応じて、検索されたコピーで文書データを読み取り前記文書データを印刷する旨のコピー要求を前記コピーサービス手段に対して発行し、前記コピーサービス手段が、スキャナとプリンタの組合せの前記コピーで文書データを読み取り前記文書データを印刷する旨の前記コピー要求に応じて、前記スキャナで文書データを読み取る旨のスキャン要求を、スキャン機能に係る処理を実行する旨の要求に応じてスキャン機能に係る処理を実行するスキャンサービス手段に対して発行するスキャン要求発行処理と、前記プリンタで前記文書データを印刷する旨のプリント要求を、プリント機能に係る処理を実行する旨の要求に応じてプリント機能に係る処理を実行するプリントサービス手段に対して発行するプリント要求発行処理とを実行する。
【００３３】
請求項２７に記載の発明（情報処理方法）は、コピー機能に係る処理を実行する旨の要求に応じて、コピー機能に係る処理を実行するコピーサービス手段を備えるコピーサービス装置と、前記コピーサービス装置のクライアント端末として機能する情報処理装置により実行される情報処理方法であって、前記情報処理装置が、コピーの検索を開始する旨の操作に応じて、コピーを検索する旨のコピー検索要求を前記コピーサービス手段に対して発行し、前記コピーサービス手段が、コピーを検索する旨の前記コピー検索要求に応じて、スキャナの検索結果とプリンタの検索結果の組合せをコピーの検索結果として発行するコピー検索応答発行処理を実行し、前記情報処理装置が、検索されたコピーを表示し、表示されたコピーを登録する旨の操作に応じて、表示されたコピーを登録し、登録されたコピーでコピーを開始する旨の操作に応じて、登録されたコピーで文書データを読み取り前記文書データを印刷する旨のコピー要求を前記コピーサービス手段に対して発行し、前記コピーサービス手段が、スキャナとプリンタの組合せの前記コピーで文書データを読み取り前記文書データを印刷する旨の前記コピー要求に応じて、前記スキャナで文書データを読み取る旨のスキャン要求を、スキャン機能に係る処理を実行する旨の要求に応じてスキャン機能に係る処理を実行するスキャンサービス手段に対して発行するスキャン要求発行処理と、前記プリンタで前記文書データを印刷する旨のプリント要求を、プリント機能に係る処理を実行する旨の要求に応じてプリント機能に係る処理を実行するプリントサービス手段に対して発行するプリント要求発行処理とを実行する。
【００３４】
請求項１に記載の発明（コピーサービス装置）では、ＯＡ機器にコピー処理を実行させるための処理の要求先が「コピーサービス手段」に一元化されており、コピーサービス手段が、コピー要求に応じて、スキャン要求をスキャンサービス手段に対して発行し、プリント要求をプリントサービス手段に対して発行することになる。これにより、ＯＡ機器にコピー処理を実行させようとするクライアントは、スキャンサービス手段とプリントサービス手段にそれぞれスキャン処理とプリント処理を要求する代わりに、コピーサービス手段にコピー処理を要求すればよいため、クライアントの処理負担が軽減される。
【００３５】
請求項２に記載の発明（コピーサービス装置）では、ＯＡ機器にコピー検索処理やコピー処理を実行させるための処理の要求先が「コピーサービス手段」に一元化されており、コピーサービス手段が、コピー検索要求に応じて、スキャナの検索結果とプリンタの検索結果の組合せをコピーの検索結果として発行すると共に、コピー要求に応じて、スキャン要求をスキャンサービス手段に対して発行し、プリント要求をプリントサービス手段に対して発行することになる。これにより、ＯＡ機器にコピー検索処理やコピー処理を実行させようとするクライアントは、スキャンサービス手段とプリントサービス手段にそれぞれスキャナ検索処理とプリンタ検索処理やスキャン処理とプリント処理を要求する代わりに、コピーサービス手段にコピー検索処理やコピー処理を要求すればよいため、クライアントの処理負担が軽減される。
【００３６】
請求項３に記載の発明（コピーサービス装置）では、ＯＡ機器にコピー検索処理やコピー処理を実行させるための処理の要求先が「コピーサービス手段」に一元化されており、コピーサービス手段が、コピー検索要求に応じて、スキャナ検索要求をスキャンサービス手段に対して発行し、プリンタ検索要求をプリントサービス手段に対して発行し、スキャナの検索結果とプリンタの検索結果の組合せをコピーの検索結果として発行すると共に、コピー要求に応じて、スキャン要求をスキャンサービス手段に対して発行し、プリント要求をプリントサービス手段に対して発行することになる。これにより、ＯＡ機器にコピー検索処理やコピー処理を実行させようとするクライアントは、スキャンサービス手段とプリントサービス手段にそれぞれスキャナ検索処理とプリンタ検索処理やスキャン処理とプリント処理を要求する代わりに、コピーサービス手段にコピー検索処理やコピー処理を要求すればよいため、クライアントの処理負担が軽減される。
【００３７】
請求項４に記載の発明（コピーサービス装置）では、ＯＡ機器にコピー検索処理を実行させようとするクライアントの操作者は、所望のコピー能力を持つコピーを検索する際、コピーの検索条件を設定する代わりに、仮想コピーを指定すればよいため、操作者の操作負担が軽減される。
【００３８】
請求項９に記載の発明（情報処理方法）では、ＯＡ機器にコピー処理を実行させるための処理の要求先が「コピーサービス手段」に一元化されており、コピーサービス手段が、コピー要求に応じて、スキャン要求をスキャンサービス手段に対して発行し、プリント要求をプリントサービス手段に対して発行することになる。これにより、ＯＡ機器にコピー処理を実行させようとするクライアントは、スキャンサービス手段とプリントサービス手段にそれぞれスキャン処理とプリント処理を要求する代わりに、コピーサービス手段にコピー処理を要求すればよいため、クライアントの処理負担が軽減される。
【００３９】
請求項１０に記載の発明（情報処理方法）では、ＯＡ機器にコピー検索処理やコピー処理を実行させるための処理の要求先が「コピーサービス手段」に一元化されており、コピーサービス手段が、コピー検索要求に応じて、スキャナの検索結果とプリンタの検索結果の組合せをコピーの検索結果として発行すると共に、コピー要求に応じて、スキャン要求をスキャンサービス手段に対して発行し、プリント要求をプリントサービス手段に対して発行することになる。これにより、ＯＡ機器にコピー検索処理やコピー処理を実行させようとするクライアントは、スキャンサービス手段とプリントサービス手段にそれぞれスキャナ検索処理とプリンタ検索処理やスキャン処理とプリント処理を要求する代わりに、コピーサービス手段にコピー検索処理やコピー処理を要求すればよいため、クライアントの処理負担が軽減される。
【００４０】
請求項１１に記載の発明（情報処理方法）では、ＯＡ機器にコピー検索処理やコピー処理を実行させるための処理の要求先が「コピーサービス手段」に一元化されており、コピーサービス手段が、コピー検索要求に応じて、スキャナ検索要求をスキャンサービス手段に対して発行し、プリンタ検索要求をプリントサービス手段に対して発行し、スキャナの検索結果とプリンタの検索結果の組合せをコピーの検索結果として発行すると共に、コピー要求に応じて、スキャン要求をスキャンサービス手段に対して発行し、プリント要求をプリントサービス手段に対して発行することになる。これにより、ＯＡ機器にコピー検索処理やコピー処理を実行させようとするクライアントは、スキャンサービス手段とプリントサービス手段にそれぞれスキャナ検索処理とプリンタ検索処理やスキャン処理とプリント処理を要求する代わりに、コピーサービス手段にコピー検索処理やコピー処理を要求すればよいため、クライアントの処理負担が軽減される。
【００４１】
請求項１２に記載の発明（情報処理方法）では、ＯＡ機器にコピー検索処理を実行させようとするクライアントの操作者は、所望のコピー能力を持つコピーを検索する際、コピーの検索条件を設定する代わりに、仮想コピーを指定すればよいため、操作者の操作負担が軽減される。
【発明の効果】
【００４２】
このように、本発明は、ＯＡ機器にコピー処理を実行させるための処理の要求先を一元化することを可能にする。
【発明を実施するための最良の形態】
【００４３】
図１は、ＯＡ機器が接続されたネットワークに係る機器配置図である。図１では、融合機１０１と、スキャナ１０２と、プリンタ１０３と、ＰＣ（パーソナルコンピュータ）１０４が、イーサネット（登録商標）等のネットワーク１０５により相互接続されている。融合機１０１は、スキャナやプリンタやコピーやファクシミリとして機能する画像形成装置である。ＰＣ１０４は、融合機１０１やスキャナ１０２やプリンタ１０３のクライアント端末として機能する情報処理装置である。
【００４４】
図１のＯＡ機器はそれぞれ、ＢＭＬｉｎｋＳに準拠したＯＡ機器である。融合機１０１にはスキャンサービス１１Ａやプリントサービス１２Ａ、スキャナ１０２にはスキャンサービス１１Ｂ、プリンタにはプリントサービス１２Ｂが存在する。ＰＣ１０２には、ＢＭＬｉｎｋＳに準拠したＯＡ機器用のドライバ（ＢＭＬｉｎｋＳドライバ）がインストールされている。
【００４５】
図１のネットワーク１０５上には、コピーサービス１３が存在する。スキャンサービス１１が、スキャン機能に係る処理を実行する旨の要求に応じて、スキャン機能に係る処理を実行して、プリントサービス１２が、プリント機能に係る処理を実行する旨の要求に応じて、プリント機能に係る処理を実行するように、コピーサービス１３は、コピー機能に係る処理を実行する旨の要求に応じて、コピー機能に係る処理を実行するものである。
【００４６】
コピーサービス１３は、図２のように融合機１０１に存在してもよいし、図３のようにスキャナ１０２に存在してもよいし、図４のようにプリンタ１０３に存在してもよいし、図５のようにＰＣ１０４に存在してもよい。さらには、ネットワーク１０５に接続されたサーバコンピュータに存在してもよい。これらを総括的に説明すべく、図１の機器配置図に対応する図６のサービス相関図を適宜説明に使用する。
【００４７】
コピーサービス１３は、図６のように、コピーサービス受付部２１、コピーサービス処理部２２、設定制御部２３、一覧作成部２４、スキャナドライバ２５、プリンタドライバ２６等のモジュールにより構成される。
【００４８】
コピーサービス受付部２１は、コピー機能に係る処理を実行する旨の要求を受け付けるモジュールである。コピーサービス処理部２２は、コピー機能に係る処理を実行するモジュールである。設定制御部２３は、コピー検索条件やコピー条件の設定に係る制御を行うモジュールである。一覧作成部２４は、コピー（スキャナとプリンタの組合せ）の一覧の作成と管理を行うモジュールである。スキャナドライバ２５とプリンタドライバ２６は、ＢＭＬｉｎｋＳに準拠したＯＡ機器用のドライバ（ＢＭＬｉｎｋＳドライバ）である。
【００４９】
図７は、図１の融合機１０１に係る機能ブロック図である。図１の融合機１０１には、スキャン処理部３１、プリント処理部３２、検索応答部３３、ジョブ制御部３４、ネットワーク制御部３５等の機能ブロックが存在する。
【００５０】
図８は、図１のスキャナ１０２に係る機能ブロック図である。図１のスキャナ１０２には、スキャン処理部３１、検索応答部３３、ジョブ制御部３４、ネットワーク制御部３５等の機能ブロックが存在する。
【００５１】
図９は、図１のプリンタ１０３に係る機能ブロック図である。図１のプリンタ１０３には、プリント処理部３２、検索応答部３３、ジョブ制御部３４、ネットワーク制御部３５等の機能ブロックが存在する。
【００５２】
スキャン処理部３１は、機器を制御してスキャン処理を実行する機能ブロックである。プリント処理部３２は、機器を制御してプリント処理を実行する機能ブロックである。検索応答部３３は、スキャナ検索要求やプリンタ検索要求に応答するスキャナ検索応答やプリンタ検索応答を発行する機能ブロックである。ジョブ制御部３４は、スキャン処理やプリント処理に係るジョブ生成やジョブキャンセルを実行する機能ブロックである。
【００５３】
ネットワーク制御部３５は、通信制御を行う機能ブロックであり、図７，８，９のように、ＳＯＡＰ（Ｓｉｍｐｌｅ  Ｏｂｊｅｃｔ  Ａｃｃｅｓｓ  Ｐｒｏｔｏｃｏｌ）と、ＨＴＴＰ（ＨｙｐｅｒＴｅｘｔ  Ｔｒａｎｓｆｅｒ  Ｐｒｏｔｏｃｏｌ）と、ＳＳＤＰ（Ｓｉｍｐｌｅ  Ｓｅｒｖｉｃｅ  Ｄｉｓｃｏｖｅｒｙ  Ｐｒｏｔｏｃｏｌ）と、ＴＣＰ（Ｔｒａｎｓｍｉｓｓｉｏｎ  Ｃｏｎｔｒｏｌ  Ｐｒｏｔｏｃｏｌ）と、ＵＤＰ（Ｕｓｅｒ  Ｄａｔａｇｒａｍ  Ｐｒｏｔｏｃｏｌ）と、ＩＰ（Ｉｎｔｅｒｎｅｔ  Ｐｒｏｔｏｃｏｌ）等のネットワークプロトコルをサポートする。
【００５４】
図１０は、図１のＰＣ１０４に係る機能ブロック図である。図１のＰＣ１０４には、ＵＩ処理部４１、検索部４２、検索結果受付部４３、検索結果登録部４４、ジョブ要求部４５、ネットワーク制御部４６等の機能ブロックが存在する。
【００５５】
ＵＩ処理部４１は、機器を制御してＵＩ（ユーザインタフェース）処理を実行する機能ブロックである。検索部４２は、コピー検索要求を発行（マルチキャスト）してコピー検索を実行する機能ブロックである。検索結果受付部４３は、コピーの検索結果を受け付けて受付内容の表示を行う機能ブロックである。検索結果登録部４４は、コピーの検索結果の登録を行う機能ブロックである。ジョブ要求部４５は、コピー要求を発行する機能ブロックである。
【００５６】
ネットワーク制御部４６は、通信制御を行う機能ブロックであり、図１０のように、ＳＯＡＰ（Ｓｉｍｐｌｅ  Ｏｂｊｅｃｔ  Ａｃｃｅｓｓ  Ｐｒｏｔｏｃｏｌ）と、ＨＴＴＰ（ＨｙｐｅｒＴｅｘｔ  Ｔｒａｎｓｆｅｒ  Ｐｒｏｔｏｃｏｌ）と、ＳＳＤＰ（Ｓｉｍｐｌｅ  Ｓｅｒｖｉｃｅ  Ｄｉｓｃｏｖｅｒｙ  Ｐｒｏｔｏｃｏｌ）と、ＴＣＰ（Ｔｒａｎｓｍｉｓｓｉｏｎ  Ｃｏｎｔｒｏｌ  Ｐｒｏｔｏｃｏｌ）と、ＵＤＰ（Ｕｓｅｒ  Ｄａｔａｇｒａｍ  Ｐｒｏｔｏｃｏｌ）と、ＩＰ（Ｉｎｔｅｒｎｅｔ  Ｐｒｏｔｏｃｏｌ）等のネットワークプロトコルをサポートする。
【００５７】
（融合機）
図１の融合機１０１について詳細に説明する。
【００５８】
図１１は、図１の融合機１０１に係るソフトウェア等構成図である。図１の融合機１０１は、種々のハードウェア１１１と、種々のソフトウェア１１２と、融合機起動部１１３により構成される。図１の融合機１０１は、コピーやプリンタやスキャナやファクシミリとして機能することができる。
【００５９】
融合機１０１のハードウェア１１１としては、撮像部１２１と、印刷部１２２と、その他のハードウェア１２３が存在する。
【００６０】
撮像部１２１は、原稿から画像（画像データ。文書データとも呼ぶ）を読み取るためのハードウェアであり、コピーやスキャナやファクシミリとして機能する際に使用される。撮像部１２１は、白黒画像用の物でもカラー画像用の物でもよい。撮像部１２１は、原稿に関する機構として、原稿セット部等を備える。
【００６１】
印刷部１２２は、画像（画像データ。文書データとも呼ぶ）を印刷用紙等の印刷媒体に印刷するためのハードウェアであり、コピーやプリンタやファクシミリとして機能する際に使用される。印刷部１２２は、白黒画像用の物でもカラー画像用の物でもよい。印刷部１２２は、ここでは電子写真方式が採用されており、感光体、帯電機、露光機、現像機、転写機、定着機等を備える。印刷部１２２は、印刷用紙等に関する機構として、給紙部、排紙部、印刷用紙等搬送機構等を備える。
【００６２】
その他のハードウェア１２３については、図１２において説明する。
【００６３】
融合機１０１のソフトウェア１１２としては、種々のアプリケーション１３１と、種々のプラットフォーム１３２が存在する。これらのプログラムは、ＵＮＩＸ（登録商標）等のＯＳ（オペレーティングシステム）によりプロセス単位で並列的に実行される。ＯＳはここでは、図１１のように、ＴＣＰ／ＩＰと、ＵＤＰ／ＩＰと、ＳＰＸ／ＩＰＸと、ＮｅｔＢＥＵＩと、ＡｐｐｌｅＴａｌｋ等のネットワークプロトコルをサポートする。
【００６４】
アプリケーション１３１は、コピーやプリンタやスキャナやファクシミリ等の機能に固有な情報処理を実行するためのソフトウェアである。アプリケーション１３１としては、コピー用のアプリケーションであるコピーアプリ１４１と、プリンタ用のアプリケーションであるプリンタアプリ１４２と、スキャナ用のアプリケーションであるスキャナアプリ１４３と、ファクシミリ用のアプリケーションであるファクシミリアプリ１４４と、ネットワークファイル用のアプリケーションであるネットワークファイルアプリ１４５と、リモートＦＡＸ用のアプリケーションであるリモートＦＡＸアプリ１４６と、ＢＭＬｉｎｋＳ用のアプリケーションであるＢＭＬｉｎｋＳアプリ１４７が存在する。ネットワークファイルアプリ１４５は、ＨＴＭＬ文書等の閲覧用のＷｅｂブラウザや、ＨＴＭＬ文書等の配信用のＷｅｂサーバソフトにより構成される。ＢＭＬｉｎｋＳアプリ１４７は、ＢＭＬｉｎｋＳに準拠したＯＡ機器用のドライバ（ＢＭＬｉｎｋＳドライバ）である。
【００６５】
プラットフォーム１３２は、アプリケーション１３１からの処理要求に関する情報処理を実行するためのソフトウェアである。アプリケーション１３１からの処理要求の受信には、予め定義されている関数により処理要求を受信するアプリケーションプログラムインタフェース（ＡＰＩ）１３３を利用して、要求内容の実施には、エンジンインタフェース１３４を利用する。プラットフォーム１３２としては、種々のコントロールサービス１５１と、システムリソースマネージャ１５２と、種々のハンドラ１５３が存在する。
【００６６】
コントロールサービス１５１は、アプリケーション１３１からの処理要求を解釈して、解釈結果に応じてハードウェア１１１の獲得要求を発生させる。コントロールサービス１５１としては、ネットワークコントロールサービス（ＮＣＳ）１６１と、ファクシミリコントロールサービス（ＦＣＳ）１６２と、デリバリコントロールサービス（ＤＣＳ）１６３と、エンジンコントロールサービス（ＥＣＳ）１６４と、メモリコントロールサービス（ＭＣＳ）１６５と、オペレーションパネルコントロールサービス（ＯＣＳ）１６６と、サーティフィケーションコントロールサービス（ＣＣＳ）１６７と、ユーザディレクトリコントロールサービス（ＵＣＳ）１６８と、システムコントロールサービス（ＳＣＳ）１６９が存在する。ネットワークコントロールサービス（ＮＣＳ）１６１には、図１１のように、ＨＴＴＰｄやＳＳＤＰｄやＢＭＬｉｎｋＳｄ等のデーモンが存在する。
【００６７】
ＮＣＳ１６１のプロセスは、ネットワーク等を介してデータ通信を行うための仲介を行う。ＦＣＳ１６２のプロセスは、ファクシミリとして画像データ通信・画像データ読取・画像データ印刷等を行うためのＡＰＩを提供する。ＤＣＳ１６３のプロセスは、融合機１０１に蓄積された文書データの配信に関する制御を行う。ＥＣＳ１６４のプロセスは、撮像部１２１や印刷部１２２等のエンジン部に関する制御を行う。ＭＣＳ１６５のプロセスは、画像データ記憶・画像データ処理等のメモリやハードディスクドライブに関する制御を行う。ＯＣＳ１６６のプロセスは、オペレーションパネルに関する制御を行う。ＣＣＳ１６７のプロセスは、認証処理や課金処理に関する制御を行う。ＵＣＳ１６８のプロセスは、ユーザ情報の管理に関する制御を行う。ＳＣＳ１６９のプロセスは、システムの管理に関する制御を行う。
【００６８】
システムリソースマネージャ（ＳＲＭ）１５２は、ハードウェア１１１の獲得要求を調停して、調停結果に応じて要求内容を実施するための制御を行う。詳細に言うと、ＳＲＭ１５２のプロセスは、獲得要求に係るハードウェア１１１が利用可能か否か（他の獲得要求と競合しないか否か）を判定して、利用可能である場合にはその旨をコントロールサービス１５１の各プロセスに通知する。さらに、獲得要求に係るハードウェア１１１の利用スケジュールを作成して、作成結果に応じて要求内容を実施するための制御を行う。
【００６９】
ハンドラ１５３は、調停結果に応じてハードウェア１１１を管理する。ハンドラ１５３としては、ファクシミリコントロールユニットハンドラ（ＦＣＵＨ）１７１と、イメージメモリハンドラ（ＩＭＨ）１７２が存在する。ＦＣＵＨ１７１は、ファクシミリコントロールユニットを管理する。ＩＭＨ１７２は、各プロセスにメモリを割り振り、各プロセスに割り振ったメモリを管理する。
【００７０】
融合機起動部１１３は、融合機１０１の電源投入時に最初に実行される。これにより、ＵＮＩＸ（登録商標）等のＯＳが起動され、アプリケーション１３１やプラットフォーム１３２が起動される。これらのプログラムは、ハードディスクドライブやメモリカードに蓄積されており、ハードディスクドライブやメモリカードから再生されて、メモリに起動されることになる。
【００７１】
図１２は、図１の融合機１０１に係るハードウェア構成図である。融合機１０１のハードウェア１１１としては、コントローラ２０１と、オペレーションパネル２０２と、ファクシミリコントロールユニット（ＦＣＵ）２０３と、撮像部１２１と、印刷部１２２が存在する。撮像部１２１と印刷部１２２を除く各構成要素が、図１１の「その他のハードウェア１２３」に該当する。
【００７２】
コントローラ２０１は、ＣＰＵ２１１と、ＡＳＩＣ２１２と、ＮＢ（ノースブリッジ）２２１と、ＳＢ（サウスブリッジ）２２２と、ＭＥＭ−Ｐ（システムメモリ）２３１と、ＭＥＭ−Ｃ（ローカルメモリ）２３２と、ＨＤＤ（ハードディスクドライブ）２３３と、メモリカードスロット２３４と、ＮＩＣ（ネットワークインタフェースコントローラ）２４１と、ＵＳＢデバイス２４２と、ＩＥＥＥ１３９４デバイス２４３と、セントロニクスデバイス２４４により構成される。
【００７３】
ＣＰＵ２１１は、種々の情報処理を実行するためのＩＣであり、アプリケーション１３１やプラットフォーム１３２をＵＮＩＸ（登録商標）等のＯＳによりプロセス単位で並列的に実行する。ＡＳＩＣ２１２は、画像処理用のＩＣである。ＮＢ２２１は、ＣＰＵ２１１とＡＳＩＣ２１２を接続するためのブリッジである。ＳＢ２２２は、ＮＢ２２１と周辺機器等を接続するためのブリッジである。ＡＳＩＣ２１２とＮＢ２２１は、ＡＧＰ（Ａｃｃｅｌｅｒａｔｅｄ  Ｇｒａｐｈｉｃｓ  Ｐｏｒｔ）を介して接続されている。
【００７４】
ＭＥＭ−Ｐ２３１は、ＮＢ２２１に接続されたメモリである。ＭＥＭ−Ｃ２３２は、ＡＳＩＣ２１２に接続されたメモリである。ＨＤＤ２３３は、ＡＳＩＣ２１２に接続されたストレージであり、画像データ蓄積・文書データ蓄積・プログラム蓄積・フォントデータ蓄積・フォームデータ蓄積等を行うために使用される。メモリカードスロット２３４は、ＳＢ２２２に接続されたスロットであり、メモリカード２３５をセット（挿入）するために使用される。
【００７５】
ＮＩＣ２４１は、ネットワーク等を介してＭＡＣアドレス等を使用したデータ通信を行うためのコントローラである。ＵＳＢデバイス２４２は、ＵＳＢ規格に準拠したシリアルポートを提供するためのデバイスである。ＩＥＥＥ１３９４デバイス２４３は、ＩＥＥＥ１３９４規格に準拠したシリアルポートを提供するためのデバイスである。セントロニクスデバイス２４４は、セントロニクス仕様に準拠したパラレルポートを提供するためのデバイスである。ＮＩＣ２４１と、ＵＳＢデバイス２４２と、ＩＥＥＥ１３９４デバイス２４３と、セントロニクスデバイス２４４は、ＰＣＩ（Ｐｅｒｉｐｈｅｒａｌ  Ｃｏｍｐｏｎｅｎｔ  Ｉｎｔｅｒｃｏｎｅｃｔ）バスを介してＮＢ２２１とＳＢ２２２に接続されている。
【００７６】
オペレーションパネル２０２は、オペレータが融合機１０１に入力を行うためのハードウェア（操作部）であると共に、オペレータが融合機１０１から出力を得るためのハードウェア（表示部）である。オペレーションパネル２０２は、ＡＳＩＣ２１２に接続されている。ＦＣＵ２０３と、撮像部１２１と、印刷部１２２は、ＰＣＩ（Ｐｅｒｉｐｈｅｒａｌ  Ｃｏｍｐｏｎｅｎｔ  Ｉｎｔｅｒｃｏｎｅｃｔ）バスを介してＡＳＩＣ２１２に接続されている。
【００７７】
図１３は、図１の融合機１０１に係る外観図である。図１３には、撮像部１２１の位置と、印刷部１２２の位置と、オペレーションパネル２０２の位置が図示されている。図１３にはまた、原稿をセットするための原稿セット部３０１と、印刷用紙等の給紙先となる給紙部３０２と、印刷用紙等の排紙先となる排紙部３０３が図示されている。原稿セット部３０１は、撮像部１２１の構成要素であり、給紙部３０２と排紙部３０３は、印刷部１２２の構成要素である。
【００７８】
オペレーションパネル２０２は、図１４のように、タッチパネル３１１と、テンキー３１２と、スタートボタン３１３と、リセットボタン３１４と、初期設定ボタン３１５により構成される。
【００７９】
タッチパネル３１１は、タッチ操作で入力を行うためのハードウェア（タッチ操作部）であると共に、画面表示で出力を得るためのハードウェア（画面表示部）である。テンキー３１２は、キー操作で数字入力を行うためのハードウェアである。スタートボタン３１３は、ボタン操作でスタート操作を行うためのハードウェアである。リセットボタン３１４は、ボタン操作でリセット操作を行うためのハードウェアである。初期設定ボタン３１５は、ボタン操作で初期設定画面を表示させるためのハードウェアである。
【００８０】
融合機１０１は、原稿セット部３０１に原稿がセットされている場合、スタートボタン３１３が押されることで、撮像部１２１によりその原稿から画像を読み取る。融合機１０１は、コピーとして機能する場合、印刷部１２２によりその画像を印刷用紙等に印刷することになり、ファクシミリとして機能する場合、ＦＣＵ２０３やＮＩＣ２４１によりその画像を電話回線やネットワーク等を介して他の機器に送信することになる。印刷用紙等の給紙先は給紙部３０２であり、印刷用紙等の排紙先は排紙部３０３である。
【００８１】
原稿セット部３０１は、ＡＤＦ（自動原稿搬送装置）３２１と、フラットベッド３２２と、フラットベッドカバー３２３により構成される。給紙部３０２は、４個の給紙トレイと１個の手差しトレイにより構成される。排紙部３０３は、１個の排紙トレイにより構成される。
【００８２】
ＡＤＦ３２１には、複数枚の原稿を重ねてセットすることができる。融合機１０１は、ＡＤＦ３２１に原稿がセットされている場合、スタートボタン３１３が押されることで、撮像部１２１によりその原稿から画像を読み取る。詳細に言うと、ＡＤＦ３２１に複数枚の原稿が重ねてセットされている場合、スタートボタン３１３が押されることで、ＡＤＦ３２１が、図１３の矢印のような経路で複数枚の原稿を１枚ずつ搬送して、撮像部１２１が、図１３の矢印のような経路で１枚ずつ搬送される原稿から画像を読み取る。
【００８３】
フラットベッド３２２には、原稿を下向きにセットする。融合機１０１は、フラットベッド３２２に原稿がセットされている場合、スタートボタン３１３が押されることで、撮像部１２１によりその原稿から画像を読み取る。詳細に言うと、フラットベッド３２２に原稿が下向きにセットされている場合、スタートボタン３１３が押されることで、撮像部１２１が、透明なフラットベッド３２２を介して対面する原稿から画像を読み取る。
【００８４】
以上、図１１，１２，１３，１４により図１の融合機１０１について説明したが、この説明は図１のスキャナ１０２とプリンタ１０３にも当てはまる。ただし、スキャナ１０２に関してはプリント機能等に係る構成要素は不要であり、プリンタ１０３に関してはスキャン機能等に係る構成要素は不要である。
【００８５】
（文書処理）
以上の説明を踏まえて、図１（図６）の文書処理システムにおいて実行される文書処理について説明する。
【００８６】
図１５は、図１（図６）の文書処理システムにおいて実行されるコピー検索処理とコピー処理について説明するためのシーケンス図である。コピー検索処理では、コピーとしてスキャナとプリンタの組合せが検索されることになり、コピー処理では、スキャナとプリンタの組合せのコピーによりコピー処理が実行されることになる。
【００８７】
まず、ＰＣ１０４が、所定のコピー能力を持つコピーの検索を実行する。すなわち、ＰＣ１０４からコピーサービス１３に、所定のコピー能力を持つコピーを検索する旨のコピー検索要求がマルチキャスト（Ｓ１１）される。これに応じて、コピーサービス１３が、ネットワーク１０５に存在するスキャナとプリンタの検索を実行する。すなわち、コピーサービス１３からスキャンサービス１１に、スキャナを検索する旨のスキャナ検索要求がマルチキャスト（Ｓ１２）されると共に、コピーサービス１３からプリントサービス１２に、プリンタを検索する旨のプリンタ検索要求がマルチキャスト（Ｓ１４）される。これらに応じて、スキャンサービス１１からコピーサービス１３に、スキャナの検索結果が応答（Ｓ１３）されると共に、プリントサービス１２からコピーサービス１３に、プリンタの検索結果が応答（Ｓ１５）される。これらを受けて、コピーサービス１３は、コピーの検索結果としてスキャナの検索結果とプリンタの検索結果の組合せを応答すべく、スキャナの検索結果とプリンタの検索結果の組合せの中に、上記のコピー能力を持つ組合せがあるか否かを判断（Ｓ１６）する。これに続いて、コピーサービス１３からＰＣ１０４に、スキャナの検索結果とプリンタの検索結果の組合せの内、上記のコピー能力を持つ組合せがコピーの検索結果として応答（Ｓ１７）される。ＰＣ１０４は、コピーの検索結果を受け付けて受付内容をＰＣ１０４の画面上に表示（Ｓ１８）し、コピーの検索結果をコピー機として登録（Ｓ１９）する。
【００８８】
なお、Ｓ１１の処理は検索部４２（図１０参照）により実行され、Ｓ１３，１５の処理は検索応答部３３（図７，８，９参照）により実行され、Ｓ１８の処理は検索結果受付部４３（図１０参照）により実行され、Ｓ１９の処理は検索結果登録部４４（図１０参照）により実行される。
【００８９】
続いて、ＰＣ１０４からコピーサービス１３に、登録されたコピー機（スキャナとプリンタの組合せ）でコピー処理（文書データを読み取り当該文書データを印刷する処理）を実行する旨のコピー要求が発行（Ｓ２０）される。これに応じて、コピーサービス１３からスキャンサービス１１に、上記のコピー機を構成するスキャナでスキャン処理（文書データを読み取る処理）を実行する旨のスキャン要求（ジョブ生成要求）が発行（Ｓ２１）され、スキャンサービス１１によりスキャン処理が実行（Ｓ２２）され、スキャンサービス１１からコピーサービス１３に、スキャン応答（ジョブ生成応答）が発行（Ｓ２３）され、スキャンサービス１１からコピーサービス１３に、スキャンデータが提供（Ｓ２４）される。これを受けて、コピーサービス１３は、スキャンデータからプリントデータを形成（Ｓ２５）する。これに続いて、コピーサービス１３からプリントサービス１２に、上記のコピー機を構成するプリンタでプリント処理（読み取られた文書データを印刷する処理）を実行する旨のプリント要求（ジョブ生成要求）が発行（Ｓ２６）され、コピーサービス１３からプリントサービス１２に、プリントデータが提供（Ｓ２７）され、プリントサービス１２によりプリント処理が実行（Ｓ２８）され、プリントサービス１２からコピーサービス１３に、プリント応答（ジョブ生成応答）が発行（Ｓ２９）される。これを受けて、コピーサービス１３からＰＣ１０４に、コピー応答が発行（Ｓ３０）される。
【００９０】
なお、Ｓ２０の処理はジョブ要求部４５（図１０参照）により実行され、Ｓ２２−２４の処理はジョブ制御部３４とスキャン処理部３１（図７，８，９参照）により実行され、Ｓ２８−２９の処理はジョブ制御部３４とプリント処理部３２（図７，８，９参照）により実行される。
【００９１】
このように、図１（図６）の文書処理システムでは、ＯＡ機器にコピー検索処理やコピー処理を実行させるための処理の要求先が「コピーサービス１３」に一元化されており、コピーサービス１３が、コピー検索要求に応じて、スキャナ検索要求をスキャンサービス１１に対して発行（Ｓ１２）し、プリンタ検索要求をプリントサービス１２に対して発行（Ｓ１４）し、スキャナの検索結果とプリンタの検索結果の組合せをコピーの検索結果として発行（Ｓ１７）すると共に、コピー要求に応じて、スキャン要求をスキャンサービス１１に対して発行（Ｓ２１）し、プリント要求をプリントサービス１２に対して発行（Ｓ２６）する。これにより、ＰＣ１０４は、ＯＡ機器にコピー検索処理やコピー処理を実行させる場合、スキャンサービス１１とプリントサービス１２にそれぞれスキャナ検索処理とプリンタ検索処理やスキャン処理とプリント処理を要求する代わりに、コピーサービス１３にコピー検索処理やコピー処理を要求すればよいため、ＰＣ１０４の処理負担が軽減されるのである。
【００９２】
さらに、ＰＣ１０４からコピーサービス１３にコピー検索処理やコピー処理を要求する場合、ネットワーク１０５上に最低限１個のコピーサービス１３が存在すればよいため、ネットワーク１０５上の複数のＯＡ機器にコピー用実装がなされている必要がなくなる。
【００９３】
さらに、ＢＭＬｉｎｋＳに準拠したスキャナやプリンタであれば、機種を問わずこれらを組み合わせてコピー処理を実行させることが可能になる。例えば、Ａ社のスキャナとＢ社のプリンタを組み合わせてコピー処理を実行させることも可能になる。
【００９４】
以下、コピー検索処理とコピー処理の詳細について説明する。
【００９５】
図１６と図１７は、コピー検索要求のスクリプトの例とコピー検索応答のスクリプトの例を表す。記述１６−１「ｓｓｄｐ：ｄｉｓｃｏｖｅｒ」は、検索要求である旨を表す。記述１６−２「ｓｅｒｖｉｃｅ：ｃｏｐｙ」は、検索対象がコピーである旨を表す。記述１６−３は、コピーの検索条件（どんなコピー能力を持つコピーを検索するか）を表す。記述１７−１は、コピーの検索結果を表す。
【００９６】
図１８と図１９は、ＰＣ１０４の画面上に表示されるコピー検索操作画面４０１とコピー操作画面５０１を表す。コピー検索操作画面４０１には、検索開始ボタン４１１、検索条件設定ボタン４１２、検索結果表示４２１、登録実行ボタン４３１、登録対象選択ボタン４３２等が表示される。コピー操作画面５０１には、コピー開始ボタン５１１、コピー条件設定ボタン５１２、コピー機選択ボタン５１３等が表示される。
【００９７】
検索開始ボタン４１１は、コピーの検索を開始する旨の入力操作用のボタンである。検索条件設定ボタン４１２は、コピーの検索条件（どんなコピー能力を持つコピーを検索するか）の設定操作用のボタンである。ＰＣ１０４は、検索開始ボタン４１１のクリック操作に応じて、検索条件設定ボタン４１２により設定されたコピー能力を持つコピーを検索する旨のコピー検索要求を発行（Ｓ１１）する。
【００９８】
検索結果表示４２１は、Ｓ１８の処理により表示された「コピーの検索結果」である。コピー１はスキャナ１（図１のスキャナ１０２）とプリンタ１（図１のプリンタ１０３）の組合せ、コピー２は融合機１のスキャナ（図１の融合機１０１のスキャナ）と融合機１のプリンタ（図１の融合機１０１のプリンタ）の組合せ、コピー３は融合機１のスキャナ（図１の融合機１０１のスキャナ）とプリンタ１（図１のプリンタ１０３）の組合せ、コピー４はスキャナ１（図１のスキャナ１０２）と融合機１のプリンタ（図１の融合機１０１のプリンタ）の組合せである。
【００９９】
登録実行ボタン４３１は、Ｓ１８の処理により表示された「コピーの検索結果」をコピー機として登録する旨の入力操作用のボタンである。登録対象選択ボタン４３２は、登録対象とするコピーの選択操作用のボタンである。ＰＣ１０４は、登録実行ボタン４３１のクリック操作に応じて、登録対象選択ボタン４３２により選択されたコピーをコピー機として登録（Ｓ１９）する。
【０１００】
コピー開始ボタン５１１は、コピーを開始する旨の入力操作用のボタンである。コピー条件設定ボタン５１２は、コピー条件の設定操作用のボタンである。コピー機選択ボタン５１３は、Ｓ１９の処理により登録されたコピー機の中からコピー処理を実行させるコピー機を選択するためのボタンである。ＰＣ１０４は、コピー開始ボタン５１１のクリック操作に応じて、コピー条件設定ボタン５１２により設定されたコピー条件の下で、コピー機選択ボタン５１３により選択されたコピー機でコピー処理を実行する旨のコピー要求を発行（Ｓ２０）する。
【０１０１】
なお、コピー検索操作画面４０１やコピー操作画面５０１は、ＵＩ処理部４１（図１０参照）により作成されて表示される。ただし、図２のようにコピーサービス１３が融合機１０１に存在する場合、コピー検索操作画面４０１やコピー操作画面５０１となるＷｅｂ画面を融合機１０１が作成するようにしてもよい。具体的に言うと、ＰＣ１０４にＷｅｂ画面用の電子文書を閲覧するためのＷｅｂブラウザをインストールしておいて、融合機１０１からＰＣ１０４にＷｅｂ画面用の電子文書を配信するのである。配信処理は、融合機１０１のネットワークファイルアプリ１４５（図１１参照）により実行可能である。
【０１０２】
図２０は、コピーサービス１３がスキャナ１０２に存在する場合（図３）のコピー検索処理とコピー処理について説明するための図である。まず、ＰＣ１０４からスキャナ１０２に、コピー検索要求が発行（Ｓ１０１。Ｓ１１に相当）される。続いて、スキャナ１０２からプリンタ１０３に、プリンタ検索要求が発行（Ｓ１０２。Ｓ１４に相当）される。続いて、プリンタ１０３からスキャナ１０２に、プリンタ検索応答が発行（Ｓ１０３。Ｓ１５に相当）される。続いて、スキャナ１０２からＰＣ１０４に、コピー検索応答が発行（Ｓ１０４。Ｓ１７に相当）される。つぎに、ＰＣ１０４からスキャナ１０２に、コピー要求が発行（Ｓ１０５。Ｓ２０に相当）される。続いて、スキャナ１０２からプリンタ１０３に、プリント要求が発行（Ｓ１０６。Ｓ２６に相当）される。続いて、スキャナ１０２からプリンタ１０３に、プリントデータが提供（Ｓ１０７。Ｓ２７に相当）される。続いて、プリンタ１０３からスキャナ１０２に、プリント応答が発行（Ｓ１０８。Ｓ２９に相当）される。続いて、スキャナ１０２からＰＣ１０４に、コピー応答が発行（Ｓ１０９。Ｓ３０に相当）される。
【０１０３】
図２１は、コピーサービス１３がプリンタ１０３に存在する場合（図４）のコピー検索処理とコピー処理について説明するための図である。まず、ＰＣ１０４からプリンタ１０３に、コピー検索要求が発行（Ｓ２０１。Ｓ１１に相当）される。続いて、プリンタ１０３からスキャナ１０２に、スキャナ検索要求が発行（Ｓ２０２。Ｓ１２に相当）される。続いて、スキャナ１０２からプリンタ１０３に、スキャナ検索応答が発行（Ｓ２０３。Ｓ１３に相当）される。続いて、プリンタ１０３からＰＣ１０４に、コピー検索応答が発行（Ｓ２０４。Ｓ１７に相当）される。つぎに、ＰＣ１０４からプリンタ１０３に、コピー要求が発行（Ｓ２０５。Ｓ２０に相当）される。続いて、プリンタ１０３からスキャナ１０２に、スキャン要求が発行（Ｓ２０６。Ｓ２１に相当）される。続いて、スキャナ１０２からプリンタ１０３に、スキャン応答が発行（Ｓ２０７。Ｓ２３に相当）される。続いて、スキャナ１０２からプリンタ１０３に、スキャンデータが提供（Ｓ２０８。Ｓ２４に相当）される。続いて、プリンタ１０３からＰＣ１０４に、コピー応答が発行（Ｓ２０９。Ｓ３０に相当）される。
【０１０４】
図２２は、ＰＣ１０４により実行される処理に係るフロー図である。まず、ＰＣ１０４は、コピーを検索する旨のコピー検索要求を発行（Ｓ３０１。Ｓ１１に相当）する。これにより、ＰＣ１０４は、コピーの検索結果を取得（Ｓ３０２。Ｓ１７に相当）する。そして、ＰＣ１０４は、コピーの検索結果をコピー機として登録（Ｓ３０３。Ｓ１９に相当）する。次に、ＰＣ１０４は、登録されたコピー機でコピー処理を実行する旨のコピー要求を発行（Ｓ３０４。Ｓ２０に相当）する。そして、ＰＣ１０４は、コピー処理の終了通知を取得（Ｓ３０５。Ｓ３０に相当）することになる。
【０１０５】
図２３は、コピーサービス１３により実行される処理（コピー検索処理）に係るフロー図である。コピーサービス１３は、所定のコピー能力を持つコピーを検索する旨のコピー検索要求を取得（Ｓ４０１。Ｓ１１に相当）すると、スキャナを検索する旨のスキャナ検索要求を発行（Ｓ４０２。Ｓ１２に相当）し、スキャナの検索結果を取得（Ｓ４０３。Ｓ１３に相当）すると共に、プリンタを検索する旨のプリンタ検索要求を発行（Ｓ４０４。Ｓ１４に相当）し、プリンタの検索結果を取得（Ｓ４０５。Ｓ１５に相当）する。これを受けて、コピーサービス１３は、スキャナの検索結果とプリンタの検索結果の組合せの中に、上記のコピー能力を持つ組合せがあるか否かを判断（Ｓ４０６。Ｓ１６に相当）し、スキャナの検索結果とプリンタの検索結果の組合せの内、上記のコピー能力を持つ組合せをコピーの検索結果として発行（Ｓ４０７。Ｓ１７に相当）する。
【０１０６】
図２４は、コピー処理に係るフロー図である。詳細には、ＡＤＦ３２１（図１３参照）にセットされた原稿から画像データ（文書データ）を読み取るコピー処理の具体例に係るフロー図である。まず、ＰＣ１０４からコピーサービス１３に、コピー要求が発行（Ｓ５０１。Ｓ２０に相当）される。これにより、コピーサービス１３とスキャンサービス１１とプリントサービス１２によりＳ２１−２９の処理が実行されることになる。その一環として、ユーザによりＡＤＦ３２１に原稿がセット（Ｓ５０２）されると、スキャンサービス１１により当該原稿から画像データ（文書データ）が読み取られて（Ｓ５０３。Ｓ２２に相当）、プリントサービス１２により当該画像データ（文書データ）が印刷（Ｓ５０４。Ｓ２８に相当）される。最終的に、コピーサービス１３からＰＣ１０４に、コピー応答が発行（Ｓ５０５。Ｓ３０に相当）される。
【０１０７】
図２５は、コピー処理に係るフロー図である。詳細には、フラットベッド３２２（図１３参照）にセットされた原稿から画像データ（文書データ）を読み取るコピー処理の具体例に係るフロー図である。まず、ＰＣ１０４からコピーサービス１３に、コピー要求が発行（Ｓ６０１。Ｓ２０に相当）される。これにより、コピーサービス１３とスキャンサービス１１とプリントサービス１２によりＳ２１−２９の処理が実行されることになる。その一環として、ユーザによりフラットベッド３２２に原稿がセット（Ｓ６０２）される毎に、スキャンサービス１１により当該原稿から画像データ（文書データ）が読み取られる（Ｓ６０３。Ｓ２２に相当）。そして、ユーザによりコピー操作画面５０１（図１９参照）の原稿読み取り完了ボタンがクリック（Ｓ６０４）されると、プリントサービス１２により当該画像データ（文書データ）が印刷（Ｓ６０５。Ｓ２８に相当）される。最終的に、コピーサービス１３からＰＣ１０４に、コピー応答が発行（Ｓ６０６。Ｓ３０に相当）される。
【０１０８】
図２６は、コピー処理に係るフロー図である。詳細には、フラットベッド３２２（図１３参照）にセットされた原稿から画像データ（文書データ）を読み取るコピー処理の具体例に係るフロー図である。まず、ＰＣ１０４からコピーサービス１３に、コピー要求が発行（Ｓ７０１。Ｓ２０に相当）される。これにより、コピーサービス１３とスキャンサービス１１とプリントサービス１２によりＳ２１−２９の処理が実行されることになる。その一環として、ユーザによりフラットベッド３２２に原稿がセット（Ｓ７０２）される毎に、スキャンサービス１１により当該原稿から画像データ（文書データ）が読み取られる（Ｓ７０３。Ｓ２２に相当）。そして、読み取り回数が所定回数（５回，１０回等）に到達（Ｓ７０４）すると、プリントサービス１２により当該画像データ（文書データ）が印刷（Ｓ７０５。Ｓ２８に相当）される。最終的に、コピーサービス１３からＰＣ１０４に、コピー応答が発行（Ｓ７０６。Ｓ３０に相当）される。
【０１０９】
（仮想コピー機）
図１５のＳ１１の処理では、ＰＣ１０４は所定のコピー能力を持つコピーの検索を実行する。この際、ユーザは、コピーの検索条件（どんなコピー能力を持つコピーを検索するか）を、検索条件設定ボタン４１２（図１８参照）で設定可能である。しかし、コピーの検索条件を検索条件設定ボタン４１２で設定するのは面倒である。そこでここでは、所定のコピー能力を持つ「仮想コピー機」を仮想的に定義しておき、その情報をＰＣ１０４に保存しておくことにする。そして、ユーザは、所望のコピー能力を持つコピーを検索する際、コピーの検索条件を検索条件設定ボタン４１２で設定する代わりに、コピー検索操作画面４０１（図１８参照）で仮想コピー機を指定するのである。これにより、ユーザの操作負担が軽減される。仮想コピー機は例えば、「ＡＤＦ搭載のカラーコピー機」「両面コピー可能なモノクロコピー機」のように定義しておく。
【０１１０】
図２７は、仮想コピー機の指定によりコピーの検索条件を設定する場合におけるコピー検索処理の第１の例について説明するためのシーケンス図である。図２７は、図１５のＳ１１−Ｓ１９に相当するシーケンス図である。
【０１１１】
まず、ＰＣ１０４が、指定された仮想コピー機の定義に合致するコピーの検索を実行する。すなわち、ＰＣ１０４からコピーサービス１３に、指定された仮想コピー機の定義に合致するコピーを検索する旨のコピー検索要求がマルチキャスト（Ｓ１１）される。これに応じて、コピーサービス１３が、ネットワーク１０５に存在するスキャナとプリンタの検索を実行する。すなわち、コピーサービス１３からスキャンサービス１１に、スキャナを検索する旨のスキャナ検索要求がマルチキャスト（Ｓ１２）されると共に、コピーサービス１３からプリントサービス１２に、プリンタを検索する旨のプリンタ検索要求がマルチキャスト（Ｓ１４）される。これらに応じて、スキャンサービス１１からコピーサービス１３に、スキャナの検索結果が応答（Ｓ１３）されると共に、プリントサービス１２からコピーサービス１３に、プリンタの検索結果が応答（Ｓ１５）される。これらを受けて、コピーサービス１３は、コピーの検索結果としてスキャナの検索結果とプリンタの検索結果の組合せを応答すべく、スキャナの検索結果とプリンタの検索結果の組合せの中に、仮想コピー機の定義に合致する組合せがあるか否かを判断（Ｓ１６）する。これに続いて、コピーサービス１３からＰＣ１０４に、スキャナの検索結果とプリンタの検索結果の組合せの内、仮想コピー機の定義に合致する組合せがコピーの検索結果として応答（Ｓ１７）される。ＰＣ１０４は、コピーの検索結果を受け付けて受付内容をＰＣ１０４の画面上に表示（Ｓ１８）し、コピーの検索結果をコピー機として登録（Ｓ１９）する。
【０１１２】
図２８は、仮想コピー機の指定によりコピーの検索条件を設定する場合におけるコピー検索処理の第２の例について説明するためのシーケンス図である。図２８は、図１５のＳ１１−Ｓ１９に相当するシーケンス図である。前提としてここでは、コピーサービス１３は、仮想コピー機の定義情報を利用可能であるものとする。
【０１１３】
まず、コピーサービス１３が、ネットワーク１０５に存在するスキャナとプリンタの検索を実行する。すなわち、コピーサービス１３からスキャンサービス１１に、スキャナを検索する旨のスキャナ検索要求がマルチキャスト（Ｓ１２）されると共に、コピーサービス１３からプリントサービス１２に、プリンタを検索する旨のプリンタ検索要求がマルチキャスト（Ｓ１４）される。これらに応じて、スキャンサービス１１からコピーサービス１３に、スキャナの検索結果が応答（Ｓ１３）されると共に、プリントサービス１２からコピーサービス１３に、プリンタの検索結果が応答（Ｓ１５）される。これらを受けて、コピーサービス１３は、仮想コピー機の定義に合致するようなスキャナの検索結果とプリンタの検索結果の組合せの一覧を作成すべく、スキャナの検索結果とプリンタの検索結果の組合せの中に、仮想コピー機の定義に合致する組合せがあるか否かを判断（Ｓ１６）し、仮想コピー機の定義に合致するようなスキャナの検索結果とプリンタの検索結果の組合せの一覧を作成して管理しておく。その後、ＰＣ１０４が、指定された仮想コピー機の定義に合致するコピーの検索を実行する。すなわち、ＰＣ１０４からコピーサービス１３に、指定された仮想コピー機の定義に合致するコピーを検索する旨のコピー検索要求がマルチキャスト（Ｓ１１）される。これに応じて、コピーサービス１３からＰＣ１０４に、予め作成されている上記の一覧中の組合せの内、指定された仮想コピーの定義に合致する組合せがコピーの検索結果として応答（Ｓ１７）される。ＰＣ１０４は、コピーの検索結果を受け付けて受付内容をＰＣ１０４の画面上に表示（Ｓ１８）し、コピーの検索結果をコピー機として登録（Ｓ１９）する。なお、図２８のＳ１２，１４，１６の処理は、一覧作成部２４（図６参照）により実行される。
【０１１４】
（変形例）
図２の融合機１０１や図３のスキャナ１０２や図４のプリンタ１０３や図５のＰＣ１０４は、本発明（コピーサービス装置）の実施例に該当し、これらにより実行される情報処理方法は、本発明の実施例に該当する。図１のＰＣ１０４は、本発明（情報処理装置）の実施例に該当し、これにより実行される情報処理方法は、本発明の実施例に該当する。当該情報処理方法をコンピュータに実行させる情報処理プログラムは、本発明の実施例に該当し、当該情報処理方法をコンピュータに実行させる情報処理プログラムが記録されたＣＤ−ＲＯＭは、本発明の実施例に該当する。図１の文書処理システムにおいて実行される情報処理方法は、本発明の実施例に該当する。
【図面の簡単な説明】
【０１１５】
【図１】ＯＡ機器が接続されたネットワークに係る機器配置図である。
【図２】図１の機器配置図にてコピーサービスが融合機に存在する場合を表す。
【図３】図１の機器配置図にてコピーサービスがスキャナに存在する場合を表す。
【図４】図１の機器配置図にてコピーサービスがプリンタに存在する場合を表す。
【図５】図１の機器配置図にてコピーサービスがＰＣに存在する場合を表す。
【図６】図１の機器配置図に対応するサービス相関図である。
【図７】図１の融合機に係る機能ブロック図である。
【図８】図１のスキャナに係る機能ブロック図である。
【図９】図１のプリンタに係る機能ブロック図である。
【図１０】図１のＰＣに係る機能ブロック図である。
【図１１】図１の融合機に係るソフトウェア等構成図である。
【図１２】図１の融合機に係るハードウェア構成図である。
【図１３】図１の融合機に係る外観図である。
【図１４】オペレーションパネルを表す。
【図１５】コピー検索処理とコピー処理について説明するためのシーケンス図である。
【図１６】コピー検索要求のスクリプトの例を表す。
【図１７】コピー検索応答のスクリプトの例を表す。
【図１８】コピー検索操作画面を表す。
【図１９】コピー操作画面を表す。
【図２０】コピーサービスがスキャナに存在する場合のコピー検索処理とコピー処理について説明するための図である。
【図２１】コピーサービスがプリンタに存在する場合のコピー検索処理とコピー処理について説明するための図である。
【図２２】ＰＣにより実行される処理に係るフロー図である。
【図２３】コピーサービスにより実行されるコピー検索処理に係るフロー図である。
【図２４】コピー処理に係るフロー図である。
【図２５】コピー処理に係るフロー図である。
【図２６】コピー処理に係るフロー図である。
【図２７】仮想コピー機の指定によりコピーの検索条件を設定する場合におけるコピー検索処理の第１の例について説明するためのシーケンス図である。
【図２８】仮想コピー機の指定によりコピーの検索条件を設定する場合におけるコピー検索処理の第２の例について説明するためのシーケンス図である。
【符号の説明】
【０１１６】
１１  スキャンサービス
１２  プリントサービス
１３  コピーサービス
２１  コピーサービス受付部
２２  コピーサービス処理部
２３  設定制御部
２４  一覧作成部
２５  スキャナドライバ
２６  プリンタドライバ
３１  スキャン処理部
３２  プリント処理部
３３  検索応答部
３４  ジョブ制御部
３５  ネットワーク制御部
４１  ＵＩ処理部
４２  検索部
４３  検索結果受付部
４４  検索結果登録部
４５  ジョブ要求部
４６  ネットワーク制御部
１０１  融合機
１０２  スキャナ
１０３  プリンタ
１０４  パーソナルコンピュータ
１０５  ネットワーク
１１１  ハードウェア
１１２  ソフトウェア
１１３  融合機起動部
１２１  撮像部
１２２  印刷部
１２３  その他のハードウェア
１３１  アプリケーション
１３２  プラットフォーム
１３３  アプリケーションプログラムインタフェース
１３４  エンジンインタフェース
１４１  コピーアプリ
１４２  プリンタアプリ
１４３  スキャナアプリ
１４４  ファクシミリアプリ
１４５  ネットワークファイルアプリ
１４６  リモートＦＡＸアプリ
１４７  ＢＭＬｉｎｋＳアプリ
１５１  コントロールサービス
１５２  システムリソースマネージャ
１５３  ハンドラ
１６１  ネットワークコントロールサービス
１６２  ファクシミリコントロールサービス
１６３  デリバリコントロールサービス
１６４  エンジンコントロールサービス
１６５  メモリコントロールサービス
１６６  オペレーションパネルコントロールサービス
１６７  サーティフィケーションコントロールサービス
１６８  ユーザディレクトリコントロールサービス
１６９  システムコントロールサービス
１７１  ファクシミリコントロールユニットハンドラ
１７２  イメージメモリハンドラ
２０１  コントローラ
２０２  オペレーションパネル
２０３  ファクシミリコントロールユニット
２１１  ＣＰＵ
２１２  ＡＳＩＣ
２２１  ＮＢ
２２２  ＳＢ
２３１  ＭＥＭ−Ｐ
２３２  ＭＥＭ−Ｃ
２３３  ＨＤＤ
２３４  メモリカードスロット
２３５  メモリカード
２４１  ＮＩＣ
２４２  ＵＳＢデバイス
２４３  ＩＥＥＥ１３９４デバイス
２４４  セントロニクスデバイス
３０１  原稿セット部
３０２  給紙部
３０３  排紙部
３１１  タッチパネル
３１２  テンキー
３１３  スタートボタン
３１４  リセットボタン
３１５  初期設定ボタン
３２１  ＡＤＦ
３２２  フラットベッド
３２３  フラットベッドカバー
４０１  コピー検索操作画面
４１１  検索開始ボタン
４１２  検索条件設定ボタン
４２１  検索結果表示
４３１  登録実行ボタン
４３２  登録対象選択ボタン
５０１  コピー操作画面
５１１  コピー開始ボタン
５１２  コピー条件設定ボタン
５１３  コピー機選択ボタン
【図１】
2005128761.tif 000003
【図２】
2005128761.tif 000004
【図３】
2005128761.tif 000005
【図４】
2005128761.tif 000006
【図５】
2005128761.tif 000007
【図６】
2005128761.tif 000008
【図７】
2005128761.tif 000009
【図８】
2005128761.tif 000010
【図９】
2005128761.tif 000011
【図１０】
2005128761.tif 000012
【図１１】
2005128761.tif 000013
【図１２】
2005128761.tif 000014
【図１３】
2005128761.tif 000015
【図１４】
2005128761.tif 000016
【図１５】
2005128761.tif 000017
【図１６】
2005128761.tif 000018
【図１７】
2005128761.tif 000019
【図１８】
2005128761.tif 000020
【図１９】
2005128761.tif 000021
【図２０】
2005128761.tif 000022
【図２１】
2005128761.tif 000023
【図２２】
2005128761.tif 000024
【図２３】
2005128761.tif 000025
【図２４】
2005128761.tif 000026
【図２５】
2005128761.tif 000027
【図２６】
2005128761.tif 000028
【図２７】
2005128761.tif 000029
【図２８】
2005128761.tif 000030